(57)【要約】【課題】  サイホン式洋風大便器において、水位上昇を極力抑制し、効果な汚物排出が可能な洋風大便器を提供することを目的とする。【解決手段】  使用者が排泄を行うボールと、前記ボール上縁に設けられ洗浄水を吐出するリム吐水口と、前記リム吐水口に供給する洗浄水を貯留する洗浄水貯留手段と、前記洗浄水貯留手段に貯留された洗浄水を加圧して前記リム吐水口に供給するポンプ手段と、前記ボール内の溜水をサイホン作用により汚物を排出する排水トラップ管路とより成る洋風大便器において、前記リム吐水手段に給水を行う前記ポンプ手段の給水量率を制御するポンプ制御手段を有し、前記ポンプ制御手段は、サイホン作用が起動する前まで、洗浄開始により上昇するボール内の溜水面の位置が所定レベル以上に上昇しないよう、上記加圧ポンプを制御して必要な流量の洗浄水を供給することを特徴とする洋風大便器とする。【選択図】  図３
2010077686.tif 000002
【特許請求の範囲】
【請求項１】
使用者が排泄を行うボールと、
前記ボール上縁に設けられ洗浄水を吐出するリム吐水口と、
前記リム吐水口に供給する洗浄水を貯留する洗浄水貯留手段と、
前記洗浄水貯留手段に貯留された洗浄水を加圧して前記リム吐水口に供給するポンプ手段と、
前記ボール内の溜水をサイホン作用により汚物を排出する排水トラップ管路と
より成り、前記リム吐水口からの洗浄水のみよって便器洗浄を行う洋風大便器において、
前記リム吐水手段に給水を行う前記ポンプ手段の給水量率を制御するポンプ制御手段を有し、
前記ポンプ制御手段は、サイホン作用が起動する前まで、洗浄開始により上昇するボール内の溜水面の位置が所定レベル以上に上昇しないよう、上記加圧ポンプを制御して必要な流量の洗浄水を供給する
ことを特徴とする洋風大便器。
【請求項２】
前記排水トラップ管路から排出される排出ピークの瞬間流量に到達するまでの積算流量に近似させ給水することを特徴とする請求項１に記載の洋風大便器。
【請求項３】
前記ポンプ制御手段は、サイホン作用によるボール部の溜水部の水位が低下するとき、ボール部の溜水面の位置が所定レベル以下にならないように、洗浄水を供給することを特徴とする請求項１又は２記載の洋風大便器。
【請求項４】
前記リム吐水口は、ボール上縁から水平方向に吐水する第一のリム吐水口と、ボール部の上縁から排水トラップ管路の入口部方向に吐水する第二のリム吐水口からなることを特徴とする請求項１乃至３の何れかに記載の洋風大便器。
【発明の詳細な説明】
【技術分野】
【０００１】
本発明は、ボール部の上縁のリム吐水口からの供給によってのみ便器洗浄を行うサイホン式洋風大便器に関し、特に、ボール部の溜水面の上昇を抑制した洋風大便器に関する。
【０００２】
サイホン式洋風大便器は、サイホンゼット式の便器にようにゼットからの吐水がトラップ排水路内に直接吐水されるため、サイホン作用に起動も早く、溜水面の上昇は見られないが、サイホン式洋風大便器では、洗浄開始直後に、投入された洗浄水は、トラップ排水路内へ流入しにくく、一部の洗浄水はボール部に残り、そのためボール部の溜水面が上昇する。また、投入された洗浄水は、ボール面を旋回しながらボール面に付着した汚物等を流水面方向に流下させるが、その際、溜水面にも旋回流が生じる。そのため、溜水面が旋回しながら上昇することになり、浮遊系の汚物を伴う溜水面の旋回流は、ボール面の上方では、大きな広がりを形成することになる、その後のサイホン作用によって急激に降下する溜水面に上の浮遊系汚物は水位降下に追随できずにボール面に残存してしまう具合があり、その不具合を解消するため、溜水面の旋回流の広がりを抑制しようと、ボウル部の底部を壺状に形成した提案がある。（例えば、特許文献１参照。）
【０００３】
【特許文献１】特許３０５２１８０号公報
【発明の開示】
【発明が解決しようとする課題】
【０００４】
旋回流の広がりによる浮遊系の汚物のボウル面への残存付着の抑制には、効果があるが、水位上昇の増大は、トラップ排水路に入りきれない洗浄水を一時的にボウル部に溜めているだけであるので、前記トラップが満水となってサイホン現象を誘引するのを遅らせ、洗浄水の無駄を引き起こす要因になっていることから、近年の６Lやそれ以下の洗浄水量での汚物を排出搬送する節水便器においては、改善の余地があった。
【０００５】
本発明は、上記問題を解決するためになされたもので、サイホン式洋風大便器において、水位上昇を極力抑制し、効果な汚物排出が可能な洋風大便器を提供することを目的とする。
【課題を解決するための手段】
【０００６】
上記目的を達成するために請求項１記載の発明は、使用者が排泄を行うボールと、前記ボール上縁に設けられ洗浄水を吐出するリム吐水口と、前記リム吐水口に供給する洗浄水を貯留する洗浄水貯留手段と、前記洗浄水貯留手段に貯留された洗浄水を加圧して前記リム吐水口に供給するポンプ手段と、前記ボール内の溜水をサイホン作用により汚物を排出する排水トラップ管路とより成り、前記リム吐水口からの洗浄水のみよって便器洗浄を行う洋風大便器において、前記リム吐水手段に給水を行う前記ポンプ手段の給水量率を制御するポンプ制御手段を有し、前記ポンプ制御手段は、サイホン作用が起動する前まで、ボール内の溜水面の位置が所定レベル以上に上昇しないよう、上記加圧ポンプを制御して必要な流量の洗浄水を供給することを特徴とする。
【０００７】
本発明によれば、ポンプ制御手段によってボール部に供給する洗浄水を、サイホン作用起動までにボール内の溜水面の水位上昇が極力起きない程度に抑制することで、溜水面の水位上昇ともに上昇する浮遊系の汚物がボール面に残存することを極力防止できる。
尚、所定レベル以上とは、サイホン作用の早期の起動に効果的な少なくとも排水トラップ管路の溢流水位以上であることが望ましいが、初期水位であっても良い。
【０００８】
また、本発明の好ましい形態として、請求項２記載の発明は、前記排水トラップ管路から排出される排出ピークの瞬間流量に到達するまでの積算流量変化に近似させ給水することを特徴とする。
本発明によれば、便器の仕様によって排水特性がことなるが、仕様が同じである場合には、略同じ排水特性になるため、便器の排水仕様を評価して、サイホン作用が起動して急激な水位降下が起きる前まで、その排水特性に合わせて、洗浄水の供給量と排出量を近似させることによって、ボール面の水位上昇を抑制できる。即ち、排水ピーク直前でサイホン作用が起動することになるので、それまでの積算流量変化に近似させて給水することで水位上昇を抑制できる。
【０００９】
また、本発明の好ましい形態として、請求項３記載の発明は、前記ポンプ制御手段は、サイホン作用によるボール部の溜水部の水位が低下するとき、ボール部の溜水面の位置が所定レベル以下にならないように、洗浄水を供給することを特徴とする。
本発明によれば、サイホン作用によって、排水特性の排水ピークは最大になり、そのため急激な排水量の増加によって溜水面は低下することになる。溜水面が低下していき、排水トラップ管路に空気が引き込まれることで、サイホン作用は停止することになるが、サイホン作用は極力長く維持しておきたいため、排水トラップ管路に空気が引き込まれない所定レベル程度に水位を確保しておくことでサイホン作用の停止を遅らせることが可能となり、効果的な汚物の排出ができる。
【００１０】
また、本発明の好ましい形態として、請求項４記載の発明は、前記リム吐水口は、ボール上縁から水平方向に吐水する第一のリム吐水口と、ボール部の上縁から排水トラップ管路開口方向に吐水する第二のリム吐水口からなることを特徴とする。
本発明によれば、ボール上縁から水平方向に吐水し、ボール面を旋回しながらボール面に付着している汚物を溜水中に落としこむリム吐水と、洗浄初期では、排水トラップ管路に洗浄水を送りこみ排水トラップ管路を満水化してサイホン作用を早期に起動させるようにし、洗浄中期以降は汚物等を排水トラップ管路内に誘導するよう押し込むリム吐水との両方を有することで、効果的な洗浄ができる。
【発明の効果】
【００１１】
本発明は、サイホン式洋風大便器において、水位上昇を極力抑制し、効果的な汚物排出が可能なた洋風大便器を提供できる。
【発明を実施するための最良の形態】
【００１２】
先ず、図１乃至図３により、本発明の実施形態による洋風大便器の構造を説明する。図１は、本発明の実施形態による洋風大便器を示す側面図であり、図２は図１に示す洋風大便器の平面図であり、図３は本発明の実施形態による洋風大便器を示す全体構成図である。
【００１３】
図１及び図２に示すように、本発明の実施形態による洋風大便器１は、便器本体２と、前記便器本体２の上面に配置された便座４と、前記便座４を覆うように配置された便ふた５と、前記便器本体２の後方上部に配置された局部洗浄装置３と、を備えている。さらに、前記便器本体の後方には、機能部１０が配置されており、前記機能部１０はサイドパネル１０ａにより覆われている。
【００１４】
前記便器本体２は陶器製または樹脂製であり、前記便器本体２には、汚物を受けるボール部１２と、前記ボール部１２の底部から延びるトラップ排水路１４と、ボール部１２上縁にリム吐水を行う少なくとも２つ以上のリム吐水口１８ａと１８ｂが形成されている。
前記第一のリム吐水口１８ａは、前記ボール部１２の上縁左側上部後方に形成されており、前記ボール部１２の縁に沿って洗浄水を水平方向に吐出するようになっている。前記第二のリム吐水口１８ｂは、前記ボール部１２の上縁右側上部後方に形成されており、前記ボール部１２の縁に沿って洗浄水を吐出すると共に、前記トラップ排水路１４の入口部１４ａに向けた洗浄水を吐出するようになっている。
【００１５】
前記トラップ排水路１４は、前記入口部１４ａと、前記入口部１４ａから上昇するトラップ上昇管１４ｂと、前記トラップ上昇管１４ｂから下降する前記トラップ下降管１４ｃとからなり、前記トラップ上昇管１４ｂと前記トラップ下降管１４ｃとの間が頂部１４ｄとなっている。前記トラップ下降管１４ｃは排水ソケット１５を介して、建物の排水配管Ｄに排泄物混じりの溜水を排出するようになっている。
【００１６】
実施形態による洋風大便器１は、洗浄水を供給する水道に直結されている。前記リム吐水口１８ａおよび１８ｂからの吐水は、前記機能部１０に内蔵された貯水タンクに貯水された洗浄水を図示しない加圧ポンプによって加圧して、大流量でリム吐水口１８ａおよび１８ｂから吐出させるようになっている。
【００１７】
次に、図３により、実施形態による洋風大便器の機能部を詳細に説明する。
図３に示すように、機能部１０には、定流量弁２０と、電磁弁２２と、リム吐水用バキュームブレーカ２４と、リム吐水用フラッパー弁２６が設けられている。さらに、給水路１９には、第一のリム吐水口１８ａと第二のリム吐水口１８ｂの吐水分配率を切り替える切替弁２８と、貯水タンク３２と、水抜栓３９が内蔵されている。また、前記機能部１０には、前記電磁弁２２の開閉操作、前記切替弁２８の切替操作、及び、前記加圧ポンプ３４の回転数や作動時間等を制御するコントローラ４０が内蔵されている。
【００１８】
前記定流量弁２０は、止水栓４２ａ、ストレーナ４２ｂ、及び分岐金具４２ｃを介して入水口から流入した洗浄水を、所定の流量以下に絞るためのものである。本実施形態においては、この前記定流量弁２０は、洗浄水の流量を１６リットル／分以下に制限するようになっている。また、前記定流量弁２０を通過した洗浄水は、前記電磁弁２２に流入し、前記電磁弁２２を通過した洗浄水は、前記貯水タンク３２に供給されるようになっている。
【００１９】
前記電磁弁２２は、前記コントローラ４０の制御信号により開閉され、供給された洗浄水を前記貯水タンク３２に流入させ、又は停止するようになっている。
【００２０】
前記リム吐水用バキュームブレーカ２４は、洗浄水を前記第一のリム吐水口１８ａと第二のリム吐水口１８ｂへ導く前記給水路１９の途中に配置され、洗浄水の前記第一のリム吐水口１８ａと第二のリム吐水口１８ｂからの逆流を防止している。また、前記リム吐水用バキュームブレーカ２４は、前記ボール部１２の上端面よりも上方に配置され、これにより、逆流を確実に防止している。さらに、前記リム吐水用バキュームブレーカ２４の大気開放部からあふれた洗浄水は、戻り管路２４ａを通って前記貯水タンク３２に流入するようになっている。
【００２１】
前記リム吐水用フラッパー弁２６は、前記リム吐水用バキュームブレーカ２４の下流側の前記給水路１９に配置され、洗浄水の前記第一のリム吐水口１８ａと第二のリム吐水口１８ｂからの逆流を防止している。本実施形態においては、前記給水路１９に前記リム吐水用バキュームブレーカ２４と前記リム吐水用フラッパー弁２６を直列に配置することによって、より確実に洗浄水の逆流を防止している。
【００２２】
前記貯水タンク３２は、前記第一のリム吐水口１８ａと第二のリム吐水口１８ｂから吐水すべき洗浄水を貯水するように構成されている。なお、本実施形態において、貯水タンクは、６Ｌから１０Ｌの内容積を有する。
【００２３】
さらに、本実施形態においては、前記タンク給水路３２ａの先端（下端）は貯水タンク３２より上方の位置に開口されており、前記貯水タンク３２から前記タンク給水路３２ａへの逆流を防止している。また、前記貯水タンク３２の内部には、上端フロートスイッチ３２ｂ及び下端フロートスイッチ３２ｃが配置されており、前記貯水タンク３２の水位を検出できるようになっている。前記上端フロートスイッチ３２ｂは、前記貯水タンク３２内の水位が所定の貯水水位に達するとオンに切り替わり、前記コントローラ４０はこれを検知して、前記電磁弁２２を閉鎖させる。一方、前記下端フロートスイッチ３２ｃは、前記貯水タンク３２内の水位が所定の水位まで低下するとオンに切り替わり、前記コントローラ４０はこれを検知して、前記加圧ポンプ３４を停止させる。
【００２４】
また、前記貯水タンク３２の上部には、その上端の開口部を覆うように蓋体３２ｄが取り付けられており、前記蓋体３２ｄの外周と前記貯水タンク３２上部の内壁面の間は水密的に接合されている。さらに、蓋体には、円形の穴が設けられこの穴を取り囲むように、筒体３２ｅが上方に向けて延びるように取り付けられている。
【００２５】
また、前記貯水タンク３２の壁面は、前記蓋体３２ｄよりも上方まで延びており、前記貯水タンク３２の筒体から溢れた洗浄水は、前記蓋体３２ｄの上に溜まるになっている。さらに、前記貯水タンク３２の前記蓋体３２ｄよりも上方の壁面には、排水通路３２ｆが接続されており、蓋体の上に溜まった洗浄水を前記ボール部１２に排出できるようになっている。
【００２６】
前記加圧ポンプ３４は、前記貯水タンク３２に貯水された洗浄水を加圧して、前記第一のリム吐水口１８ａと第二のリム吐水口１８ｂから排出させるためのものである。前記加圧ポンプ３４は、前記貯水タンク３２の下部から延びる洗浄水管路３４ａにより接続され、前記貯水タンク３２内に貯水された洗浄水を加圧する。なお、本実施形態においては、前記加圧ポンプ３４は、前記貯水タンク３２内の洗浄水を加圧して、洗浄水を最大約１２０Ｌ／分の流量で前記２つのリム吐水口１８ａ，１８ｂから吐出させるようになっている。最大と水量としては１２０Ｌ／分程度が推奨される。この値を大幅に超える場合、ボールに向けて吐水されたリム吐水が旋回を続けてトラップ排水路１４になかなか侵入せず、サイホンの起動が遅れることがあるためである。
【００２７】
また、前記洗浄水管路３４ａの途中には、逆止弁であるフラッパー弁３８及び水抜栓３９が設けられている。これらの前記フラッパー弁３８及び前記水抜栓３９は、前記加圧ポンプ３４よりも下方の、前記貯水タンク３２の下端部付近の高さに配置されている。このため、前記水抜栓３９を開放することにより、メンテナンス時等に前記貯水タンク前記内及び前記加圧ポンプ３４内の洗浄水を排出することができる。また、前記貯水タンク３２と前記加圧ポンプ３４の間に前記フラッパー弁３８を配置することにより、前記貯水タンク３２内の水位が前記加圧ポンプ３４の高さよりも低くなった場合に、洗浄水が前記加圧ポンプ３４から前記貯水タンク前記に逆流し、前記加圧ポンプ３４内の洗浄水が抜けて次回ポンプ駆動時に空転状態になるのを防止している。
【００２８】
一方、前記加圧ポンプ３４の流出口は、洗浄水管路３４ｂを介して、前記給水路１９に接続されている。この前記給水路１９の途中の洗浄水管路頂部４４は、前記貯水タンク３２から前記前記第一のリム吐水口１８ａおよび第二のリム吐水口１８ｂに至る洗浄水管路の中で最も高い部分になっている。
【００２９】
なお前記第一のリム吐水口１８ａは前記ボール１２を旋回しながら洗浄すること、および第二のリム吐水口１８ｂは前記トラップ排水路１４への給水を目指したものであり、各々の吐水方向と開口面積は異なっている。好ましくは、洗浄工程の開始時に第二のリム吐水口１８ｂから吐出される給水を大容量にして、トラップ排水路１４を直ちに満水化してサイホンを起動しながら、前記第一のリム吐水口１８ａからの給水で前記ボール１２の内面を洗浄する。前記切替弁２８はサイホン起動タイミングの調整を目指して分配率を変更するものであるが、前述のように前記第一のリム吐水口１８ａと第二のリム吐水口１８ｂの吐水方向と開口面積は異なっているため、前記切替弁２８を必要とせずに、所定の排水性能を得ることも可能であり、前記切替弁２８の採否は便器形状と洗浄性能仕様によって決定される。なお、リム吐水口からの効果的な給水率は後述に従って給水される。
【００３０】
前記コントローラ４０は、使用者による図示しない便器洗浄スイッチの操作により、前記切替弁２８、前記加圧ポンプ３４を順次作動させ、前記第一のリム吐水口１８ａおよび第二のリム吐水口１８ｂの吐水を順次開始させて、前記ボール部１２を洗浄する。さらに、前記コントローラ４０は、洗浄開始後後、前記電磁弁２２を開放し、洗浄水を前記貯水タンク３２に補給する。前記貯水タンク３２内の水位が上昇し、前記上端フロートスイッチ３２ｂが規定の貯水量を検知すると、前記コントローラ４０は、前記電磁弁２２を閉鎖して給水を停止する。
【００３１】
図４は、本発明を実施した実施形態における洋風大便器のシステムブロック図である。図４を使用して、各部の連係動作を詳説する。
本発明の洋風大便器１は、大きく便器本体２とコントローラ４０分かれている。コントローラ４０には、操作・表示手段４１が組み込まれている。操作・表示手段４１は便器洗浄操作信号を受付け、各部に所定のシーケンス情報を伝達する。使用者が操作・表示手段４１より便器洗浄操作を実施すると、コントローラ４０は給水手段６、流路切替手段７、洗浄水貯留手段８、給水手段９、および吐水口切替手段９ａを順次作動させ、ボール部１２を洗浄する。第一のリム吐水口１８ａと第二のリム吐水口１８ｂから所定のタイミング・給水量率・給水時間で給水は実施され、トラップ排水路１４、排水ソケット１５を経て、排泄物混じりの溜水は排水配管Ｄに排出されることになる。  
【００３２】
次に、リム吐水口からの給水率Ｑの変化量について、図５により更に詳細に説明する。図５は、排水特性を示した図である。排水特性は、トラップ排水路の出口から流出する洗浄水量の経時変化を計測したものであり、瞬間流量と積算流量を示している。
図で最も大きな瞬間流量を排水ピークと称し、サイホン作用によってボール内の溜水が急激に引き込まれるために起こるもので、サイホン作用が起動した時点と推定している。従来のサイホン式洋風大便器では、トラップ排水路の出口から排水量（Ｑout）より多くの洗浄水をボウル部に給水（Ｑin）しているため、ボウル部からトラップ排水路に流入できない洗浄水が一時的にボウル部に滞溜し、水位上昇を引き起こすことになる。このようにＱin＞Ｑoutの状態であると水位上昇が起き、効果的な排出が期待できない。本発明では、まず、サイホン式洋風大便器の排水特性を評価した後、その排水ピークに到達するまでの積算流量に近似させながら、即ち、Ｑin≒Ｑoutとなるように給水していくようにポンプ制御手段によって給水率（ポンプの回転数と時間）制御している。なお、給水率については、図５の破線でしめすように、積算流量変化よりも若干早めの立ち上がりでの給水とすることで、ボール面を流下するタイミングの遅れ等を抑制している。
【００３３】
水位の上昇を抑制する程度については、まず、サイホン作用起動には、洗浄水がトラップ上昇管からトラップ下降管にスムーズに降下する必要があるので、排水トラップ管路の溢流水位（頂部を越える水位）より高い水位上昇は少なくとも必要であるが、ボールは上方に行くほど拡がりため、水位上昇は溜水面の面積の拡大を伴うため、溜水面は溢流水位より高くならないことが望ましい。
また、ボール面の面積が初期溜水面に比べて１．２５倍程度に抑制することで、サイホン作用が起動した際の急激な水位低下にも対応できるととに、溜水面上に浮遊していた汚物がボール面に残存した場合でもその後に給水される洗浄水によって確実に流水中に落としこみサイホン作用によって排出できるものとなる。
【００３４】
また、排水ピークに到達すると溜水が一気にトラップ排水路に引かれることになるので、急激な水位降下によってトラップ排水路の入口部から空気を引き込むことがない様に水位を調整するための給水率をポンプ制御手段によって制御する。その際は、トラップ排水路へ直接給水しやすい第二のリム吐水口からの給水率を多くして対応するのが望ましい。第一のリム吐水口からは、ボール面に付着した汚物をサイホン作用によって排出できるように溜水に降下させる程度の給水で良い。
【００３５】
なお溜水表面に発生する飛沫が便座に達することがある。溜水の水位上昇が抑制されることの副次的な効果として、溜水表面と便座の距離を遠ざけることが、便座の汚れを防止するという効果も期待できる。
【００３６】
図６は、本発明を実施した実施形態における洋風大便器のタイミングチャートである。図６を使用して、各洗浄工程における望ましい給水量の関係を詳説する。
【００３７】
使用者が便器洗浄操作を実施すると、先ずスプラッシュ防止のために低流量率の第１給水率Ｑ１で、第一のリム吐水口１８ａと第二のリム吐水口１８ｂへの給水が所定時間実施される。これはリム通水路の管路を満水にして内在するエアーを排出し、吐水口からの水流を安定させることで、水の飛び散りや異音の発生を防止するものである。次いで直ちにトラップを溢流させるために、第２の給水率Ｑ２に切り替える。トラップ排水路に対向する第二のリム吐水口１８ｂに大分配率で給水を実施し、トラップ溢流段階が近づくと、分配比をボール洗浄に主体をおいた第一のリム吐水口１８ａの吐水量を増やし、サイホンを起動する。ここでの給水率については、上記した排水特性に合わせた給水率に設定する。サイホンが起動すると、サイホンが継続するための第３の給水量率Ｑ３に減少させ、排泄物混じりの溜水を排出するための所定時間経過を待つ。次いでサイホンを停止するために、第４の給水量率Ｑ４に低下させて排泄物の排出終了させて、トラップ排水路の復水を待つ。第４の給水量率Ｑ４は第３の給水量率Ｑ３に極力近くすることで、トラップ排水路が破封している時間を短くして、排水配管内の臭気がトイレ内に拡散するのを防止するべきである。好ましくは破封状態が終了して封水が復帰した後は、第５の給水量率Ｑ５に切り替え、溢流復帰後にオーバーランした洗浄水が排水配管内に無駄に排出されるのを防止することが推奨される。
【図面の簡単な説明】
【００３８】
【図１】本発明の実施形態による洋風大便器を示す側面図である。
【図２】本発明の実施形態による洋風大便器の平面図である。
【図３】本発明の実施形態による洋風大便器を示す全体構成図である。
【図４】本発明を実施した実施形態における洋風大便器のシステムブロック図である。
【図５】本発明のサイホン式便器の排水特性を示す図である。
【図６】本発明を実施した実施形態における洋風大便器のタイミングチャートである。
【符号の説明】
【００３９】
１…洋風大便器
２…便器本体
３…局部洗浄装置
４…便座
５…便ふた
６…給水手段
７…流路切替手段
８…洗浄水貯留手段
９…吐水手段
９ａ…吐水口切替手段
１０…機能部
１０ａ…サイドパネル
１２…ボール部
１４…トラップ排水路
１４ａ…入口部
１４ｂ…トラップ上昇管
１４ｃ…トラップ下降管
１４ｄ…頂部
１４ｅ…サイホンブレーカー管路
１５…排水ソケット
１８ａ…第一のリム吐水口
１８ｂ…第二のリム吐水口
１９…給水路
２０…定流量弁
２２…電磁弁
２４…リム吐水用バキュームブレーカ
２４ａ…戻り管路
２６…リム吐水用フラッパー弁
２８…切替弁
３２…貯水タンク
３２ａ…タンク側給水路
３２ｂ…上端フロートスイッチ
３２ｃ…下端フロートスイッチ
３２ｄ…蓋体
３２ｅ…筒体
３２ｆ…排水通路
３４…加圧ポンプ
３４ａ…洗浄水管路
３９…水抜栓
４０…コントローラ
４１…操作・表示手段
４２ａ…止水栓
４２ｂ…ストレーナ
４２ｃ…分岐金具
４４…洗浄水管路頂部
Ｄ…排水配管
Ｑ１…第１の給水量率
Ｑ２…第２の給水量率
Ｑ３…第３の給水量率
Ｑ４…第４の給水量率
Ｑ５…第５の給水量率
【図１】
2010077686.tif 000003
【図２】
2010077686.tif 000004
【図４】
2010077686.tif 000005
【図５】
2010077686.tif 000006
【図６】
2010077686.tif 000007
【図３】
2010077686.tif 000008